Podtech/llm-jp-corpus-v4-ja_patent huggingface dataset:
(57)【要約】【課題】  切り花にできない茎の短い花はポットに植えたまま供花すればよく、そのポットは広口花立の広口部分に装着する。ポット植えのため、水の吸収がよく給水タンクも広口部分に装着する。また切り花はポットと給水タンクの間に空間を設け、そこに供花できるポット付広口花立を提供する。【解決手段】  花立部分（１）と広口部分（２）からなる広口花立（１、２）の広口部分（２）の中に、ポット（３）と給水タンク（４）の間にすきまを設け装着したポット付広口花立を特徴とする。【選択図】図１
2011050716.tif 000002
【特許請求の範囲】
【請求項１】
花立部分（１）と広口部分（２）からなる広口花立（１、２）の広口部分（２）の中に縦長段差ポット（３）と、給水タンク（４）を装着したポット付広口花立。
【発明の詳細な説明】
【技術分野】
【０００１】  この発明は、花立の上部を横に広くした広口花立にして、その広口部分の中にポットと、給水タンクを装着したポット付広口花立に関するものである。
【背景技術】
【０００２】  従来、花立は縦長の円筒状のままだった。
【発明の開示】
【発明が解決しようとする課題】
【０００３】  これは、次のような欠点があった。
従来、花立は縦長の円筒状のままのため茎の長い切り花しか利用できず、花に適、不適があった。
本発明は、以上のような欠点をなくすためになされたものである。
【課題を解決するための手段】
【０００４】  花立部分（１）と広口部分（２）からなる広口花立（１、２）の広口部分（２）の中に、縦長段差ポット（３）と給水タンク（４）を装着する。
本発明は、以上の構成よりなるポット付広口花立である。
【発明の効果】
【０００５】  花立の上部を横に広くしたことにより段差つきの広口花立のため、その広口部分の中にポットと給水タンクが容易に装着できる。ポットの中には水ゴケを入れると水の吸い上げがよく、花も植付けられ、切り花もさしこみ供花できる。
ポットと給水タンクの間に空間を設け、そこに根つき、球根つきのまま、もちろん切り花も供花できる。ポット植えと、夏期を考慮し給水タンクを装着した。この給水タンクを支柱に利用するため上下両サイドに４コホックを設ける。
本花立は広口花立だけでも従来どおりの花立として利用でき、必要に応じ給水タンク、縦長段差ポットを単品、同時でも利用できる。
給水タンク上部の縦長丸形ポット付小型広口花立は体裁上装着したもので、これも必要に応じ着脱し、縦長丸形ポットは仏壇に利用できる花立もある。
【発明を実施するための最良の形態】
【０００６】  以下、本発明を実施するための最良の形態について説明する。
花立部分（１）は墓標の花立穴より短く上部の広口部分（２）が花立台の石に密着し安定する。
広口部分（２）の中に装着する縦長段差ポット（３）と給水タンク（４）の間にすきまを設け、また縦長段差ポット（３）の段差の下の部分が細く、花立部分（１）の中の隙間が広くなり、球根、根つきのままの花、茎の太い切り花も同時に供花できる。
縦長段差ポット（３）の底は花立部分（１）の底いっぱい長くし水を有効利用する。
給水タンク（４）は安定保持のため広口部分（２）の縁を挟み着脱自在に装着する。
給水タンク（４）を支柱がわりにするため、上下両サイドに４コのホック（５）を設ける。
給水タンク（４）上部に装着する縦長丸形ポット付小型広口花立（６、７）は体裁的なもので必要により着脱できる。縦長丸形ポット（７）は仏壇に利用できる花立もある。
本発明は、以上のような構造である。
これを使用するときは、全部着脱できるため広口花立（１、２）だけでも利用でき必要により追加装着すればよい。
【図面の簡単な説明】
【０００７】
【図１】  本発明の斜視図である。
【図２】  本発明の断面図である。
【符号の説明】
【０００８】１  花立部分
２  広口部分
３  縦長段差ポット
４  給水タンク
５  ホック
６  小型広口花立
７  縦長丸形ポット
【図１】
2011050716.tif 000003
【図２】
2011050716.tif 000004
(57)【要約】      （修正有）【課題】水虫、爪水虫の予防と又、外反母趾、内反小趾の予防と指が重なったときの痛みを緩和させる靴下を提供する。【解決手段】指付靴下の先端１に、折り返し部分２を設けて開放し、折り返すことにより厚みを出し、足４の指と指の間を広げる。【選択図】図１
2011050718.tif 000002
【特許請求の範囲】
【請求項１】
指付靴下の指の先端（１）に、折り返し分（２）を設けた、足の指と指の間を広げる靴下。
【発明の詳細な説明】
【技術分野】
【０００１】  この発明は、指付靴下の指の先端を開放し、折り返して着用することで足の指と指の間を広げるための足の指と指の間を広げる靴下に関するものである。
【背景技術】
【０００２】  従来、水虫防止及び巻き爪防止及び外反母趾防止サンダルは、内履き用と外履き用が必要であった。
また、靴下は５指の全てを広げたかった。
【先行技術文献】
【０００３】
【特許文献１】  特開平１１−１２８０３号公報
【特許文献２】  特開２００１−２６９３６７号公報
【特許文献３】  特開２００３−２９９６８５号公報
【特許文献４】  特開２００６−４３３６９号公報
【発明の概要】
【発明が解決しようとする課題】
【０００４】  これは、次のような欠点があった。
従来、サンダルは内履き用と外履き用が必要で、外出の時は履き替えなければならなかった。
また、靴下は５指全体を広げるものがほしかった。
本発明は、以上のような欠点をなくすためになされたものである。
【課題を解決するための手段】
【０００５】  指付靴下の先端（１）に折り返し分（２）を付け足して開放し、折り返すことにより厚みを出し、指と指の間を広げる。
本発明は、以上の構成よりなる足の指と指の間を広げる靴下である。
【発明の効果】
【０００６】  足の指と指の間が広がるため、外反母趾、または、小指が薬指と重なる内反小趾の予防効果があり、指が重なった時の痛みを緩和させる。
折り返し部分はリング状となっているため「ズレ、ヨレ」が生じてもその効果に変化はない。
また、指の先端が開放となっているため爪水虫の予防効果もあり、靴下を履いたまま幅広のサンダル又は、草履が履ける。
【図面の簡単な説明】
【０００７】
【図１】  本発明の斜視図
【図２】  本発明の折り返してない状態を示した断面図
【発明を実施するための形態】
【０００８】  以下、本発明を実施するための最良の形態について説明する。
５本指靴下の指の先端（１）に、折り返し分（２）を付け足し開放する。
折り返し部分（２）は靴下本体に使用している糸よりもやや固めの張りのある糸で、「細編み」などの厚みのある編みを施し、開放となっている折り返し部分（２）を個々の指に合わせ折り返して着用する。
また、折り返し部分に使用する糸の種類、質により指の開き具合は変化する。
【符号の説明】
【０００９】  １  ５本指靴下の先端
２  折り返し部分
３  靴下
４  足
【図１】
2011050718.tif 000003
【図２】
2011050718.tif 000004
(57)【要約】【課題】    今日ネイルは１つのファッションとして考えられるが日常生活、家事などによりネイルが磨耗、破損したり爪自体が割れたりしそのファッション性を失うという問題があった。【解決手段】  ネイルと指が第１間接手前まですっぽりと被さる保護カバーを装着する事で、様々な作業時に発生する衝撃からネイルを守る事ができると共に保護カバー内側側面にらせん状の切り込みを入れた吸着材を固着する事で保護カバー本体の落下防止にも繋がる。また保護カバー本体を透明色にする事でネイルのファッション性が保たれる。【選択図】図１
2011050712.tif 000002
【特許請求の範囲】
【請求項１】
ネイルと指ごとが第１間接手前まですっぽりと被さる保護カバー本体と前記保護カバー本体の内側側面にらせん状の切り込みを入れた吸着材を固着させた、ネイル保護カバー。
【請求項２】
全体に透明色を使用した請求項１記載の保護カバー。
【発明の詳細な説明】
【技術分野】
【０００１】  本発明はネイル上の装飾物、マニキュア、爪の磨耗、破損を防ぐカバーに関する。
【背景技術】
【０００２】  従来のネイルは様々な爪の形、色彩のマニキュア、突起した装飾物を施したものがある。【０００３】  またネイルは１つのファッションであり日常生活、家事などの作業時に於いてより自然に美しく見える状態が好まれる。
【発明の概要】
【発明が解決しようとする課題】
【０００４】  以上に述べた従来ネイルはむき出しの状態であるため日常生活、家事などの動作、作業時に爪、マニキュア、装飾物が磨耗したり破損してしまう事があった。【０００５】  本発明はこのような従来の問題を解決しようとするものでありネイルのファッション性を失わず、尚且つネイル、爪の磨耗、破損を防ぐ事を目的とするものである。
【課題を解決するための手段】
【０００６】  そして、本発明は上記目的を達成するためにネイルと指ごとがすっぽりと被さるカバー本体と、前記カバー本体の内側側面にらせん状の切り込みを入れた吸着材を固着させたものである。【０００７】また、第２の課題解決手段は透明色を使用したカバーである。【０００８】  上記第１の課題解決手段による作用は次の通りである。すなわち、ネイル上をカバーが覆う事により日常生活、家事などの動作、作業による爪、マニキュア、装飾物の磨耗、破損を防ぐ事ができる。またカバーの内側側面にらせん状の切り込みを入れた吸着材を固着させる事でカバー本体の落下防止が可能である。【０００９】  また、第２の課題解決手段による作用は、カバー本体に透明色を使用する事でネイルのファッション性を失わない事である。
【発明の効果】
【００１０】  上述したように本発明のネイル保護カバーは、ネイルや爪の磨耗、破損を防ぐと共にカバー本体、内側側面にらせん状の切り込みを入れた吸着材を固着させる事で使用時の落下を防止し、尚且つワンタッチ装着が可能である。【００１１】  また、カバー本体を透明色にする事でネイルのファション性を失わないという効果を発揮するものである。
【図面の簡単な説明】
【００１２】
【図１】ａ．本発明の実施形態を示す保護カバーの右横から見た外観図、ｂ．同保護カバーの左横から見た外観図
【図２】同保護カバーの後方から見た外観図
【図３】ａ．同保護カバー使用時、図１ａにおけるＡ−Ａ線断面図、ｂ．同保護カバー使用時、裏側から見た外観図、ｃ．同保護カバー使用時、表側から見た外観図
【発明を実施するための形態】
【００１３】  以下、本発明の実施の形態を図１〜図３に基づいて説明する。
【００１４】  図において保護カバー本体１（以下本体）は透明である。また、吸着剤２は本体１の内側側面に固着されている。また、切り込み３は吸着剤２の内側にらせん状に切り込まれている。
【００１５】  以下、上記構成の動作を説明する。本体１は透明色を使用しているためネイルのデザイン性が維持できファッション性を失わないという効果を発揮する。また、差込口４から指を入れ図３ｃのような表向きでの使用時、ネイル上に外部から衝撃を受けたとしてもカバーがあるため、ネイル、爪を守る事ができる。また、図３ｂのカバー裏側から見てもわかるように、本体１が指に固定されている事、そして、切り込み３がらせん状に切り込まれているために図３ａのように本体１がより指にしっかりと密着する。よって、保護カバー本体の落下を防ぐ事が可能である。以上のように、本実施形態によればネイルの磨耗、破損の防止効果が得られるものである。
【符号の説明】
【００１６】１    保護カバー本体
２    吸着材
３    切り込み
５    第１関接手前
【図１】
2011050712.tif 000003
【図２】
2011050712.tif 000004
【図３】
2011050712.tif 000005
(57)【要約】【課題】従来、虫や生ゴミ、ナメクジ等不気味で触りたくないものを拾い上げて廃棄するにはティッシュなどで手で掴み取ったり挟み具で挟んで拾い上げてそのまま廃棄していたが、不衛生でかつ、不気味な物の感触が手に残って不快な思いをしていた。本発明は触りたくないものを一切触ることなく床、壁、天井、狭い所から挟んで掬い取ってペーパーなどで包んで廃棄する挟み具を提供する。【解決手段】挟持具先端に腕部の幅よりも大きく、内側に折り込んだ取り部掬い分を設け、腕部外側にフックを設けた事を特徴とする、触りたくない物を触らずに挟んで包んで捨てる器具。【選択図】図１
2011050720.tif 000002
【特許請求の範囲】
【請求項１】
挟持具先端に腕部の幅よりも大きく、内側に折り込んだすくい取り部分を設け、腕部外側にフックを設けた事を特徴とする、触りたくない物を触らずに挟んで包んで捨てる器具。
【発明の詳細な説明】
【技術分野】
【０００１】本発明は床、壁、天井などにいる虫やゴミなど汚いもの等を挟んで掬い取ってペーパーなどに包んで廃棄する器具に関するものである。
【背景技術】
【０００２】従来ゴミなどの汚いものなどの収拾には挟持具などを使用していた。
なお、一端に操作部、他端に狭持可動の作用部を有し、作用部に袋の一部を留める固定手段を有する鋏構造型ごみ収集具が知られている。（特許文献１）。
【先行技術文献】
【０００３】
【特許文献１】特開２００７−２０２５３６号公報
【発明の概要】
【発明が解決しようとする課題】
【０００４】虫、ゴミ、排泄物、ナメクジなど不気味で触りたくない物を手で包んで掴むとその感触が残り不快であり、また、挟持具などでは滑って捕獲できなかったり天井などの高所、隙間などは手がとどかなかったり、そしてまた、何かに包んで捨てなかったりすると不衛生である。また、特許文献１記載の発明では、天井等の手が届かない高所などに這う虫等は捕獲が困難であり、任意の袋等もサイズ適正や経費の点で不便性が見られる。
【課題を解決するための手段】
【０００５】挟持具先端に腕部の幅よりも大きく、内側に折り込んだすくい取り部分を設け、腕部外側にフックを設けた事を特徴とする、触りたくない物を触らずに挟んで包んで捨てる器具。
【発明の効果】
【０００６】触りたくないものを一切触ることなく挟んでペーパー等（透明フィルムを含む）で巾着状に包んで廃棄できる。また、透明フィルム使用時は、動いている虫等を透明フィルム越しに確認しながら捕獲できる。
【図面の簡単な説明】
【０００７】
【図１】本発明の斜視図
【図２】本発明の使用状態を示す正面図
【発明を実施するための形態】
【０００８】以下本発明の実施の形態を説明する。
（イ）二股状の挟み具（１）の各腕部（２）の先端部分に、すくい取り部分（３）を設け、各腕部外側にフック（４）を設ける。
本発明は以上の様な構造である。
本発明を使用するときはフック（４）にペーパー等（５）を装着し虫等を上部からペーパー等で押さえつけ左右腕部（２）で挟み、かつ、すくい取り部分（３）で挟みながらすくい取り、持ち上げ、フック（４）からペーパー等（５）を外し、虫をペーパー等にて巾着状に包み込み、廃棄する。
【符号の説明】
【０００９】（１）挟み具（２）腕部（３）すくい取り部分（４）フック（５）ペーパー  透明フィルム等
【図１】
2011050720.tif 000003
【図２】
2011050720.tif 000004
(57)【要約】【課題】  急に雨が降ってきた時、袋の小さい輪に付けた紐等を引っ張って折りたたみ傘を取り、傘をさした後装置のボタンを押して、袋を元の位置に戻せる、片手で簡単にすぐ取れる、折りたたみ傘取り外し装置を提供する。【解決手段】  リュック、ランドセル等、背負い型カバン（１）側面のボタン（９）を押すだけで巻き取れる（メジャー等伸縮性のある物）装置（２）を取り付け、カバン（１）に折りたたみ傘を引っ掛ける金属性等固めの素材を使用したフック等（４）を取り付ける。  装置（２）の紐の先端（８）に折りたたみ傘を入れる袋（５）に付いている小さい輪の部分（７）に取り付ける。  袋の小さい輪（７）に紐等（６）を設けた片手で簡単にすぐ取れる、折りたたみ傘取り外し装置を特徴とする。【選択図】図１
2011050717.tif 000002
【特許請求の範囲】
【請求項１】
（イ）リュック、ランドセル等、背負い型カバン（１）の側面に装置のボタン（９）を押    すだけで巻き取れる（メジャー等伸縮性のある物）装置（２）を設ける。
（ロ）カバン（１）に折りたたみ傘（３）を引っ掛けるフック等（４）を設ける。
（ハ）折りたたみ傘（３）を入れる袋（５）の小さい輪（７）に装置（２）の紐の先端（    ８）を取り付け、袋（５）の中に折りたたみ傘（３）を入れる。
（ニ）袋の小さい輪（７）に紐等（６）を設ける。
以上の構成よりなる片手で簡単にすぐ取れる、折りたたみ傘取り外し装置。
【発明の詳細な説明】
【技術分野】
【０００１】  本発明は、背負い型カバンを背負ったとき、折りたたみ傘を簡単に取り出すことができる、片手で簡単にすぐ取れる、折りたたみ傘取り外し装置に関するものである。
【背景技術】
【０００２】  従来、背負い型カバンを背負っているとき、雨が急に降ってきた場合、カバンの中から折りたたみ傘を取り出していた。
【発明の概要】
【発明が解決しようとする課題】
【０００３】  これは次のような欠点があった。
従来、背負い型カバンを背負っているとき、雨が急に降ってきた場合、カバンの中から折りたたみ傘を取り出している最中に、時間がかかり、体が雨に濡れたりした。
折りたたみ傘をカバンに入れ忘れることもあった。
収納するスペースがとられた。
家や学校に忘れていくことが多かった。
本発明は、以上のような欠点をなくすためになされたものである。
【課題を解決するための手段】
【０００４】（イ）リュック、ランドセル等、背負い型カバン（１）側面の装置のボタン（９）を押す    だけで巻き取れる（メジャー等伸縮性のある物）装置（２）を設ける。
（ロ）カバン（１）に折りたたみ傘（３）を引っ掛けるフック等（４）を設ける。
（ハ）装置（２）の紐の先端（８）を、折りたたみ傘を入れる袋（４）に付いている小さ    い輪の部分（７）に取り付け、袋（５）に折りたたみ傘を入れる。
（ニ）袋（５）の小さい輪（７）に紐等（６）を設ける。
本発明は、以上の構成よりなる片手で簡単にすぐ取れる、折りたたみ傘取り外し装置である。
【発明の効果】
【０００５】  折りたたみ傘は、常にカバンに取り付けてあるので、雨が急に降ってきても、すぐに取り外せて傘をさすことができ、体が雨に濡れるのを最小限に防げる。
カバンから傘を取り出す手間が省ける。
折りたたみ傘の袋も邪魔にならずにすむ。
【図面の簡単な説明】
【０００６】
【図１】  本発明の正面図である。
【図２】  本発明の使用状態を示した説明図である。
【図３】  本発明の使用状態を示した説明図である。
【図４】  本発明の使用状態を示した説明図である。
【発明を実施するための形態】
【０００７】  以下、本発明を実施するための形態について説明する。
（イ）リュック、ランドセル等、背負い型カバン（１）の側面にボタン（９）を押すだけ    で巻き取れる（メジャー等伸縮性のある物）装置（２）を取り付ける。
（ロ）カバン（１）に折りたたみ傘（３）を引っ掛ける金属性等固めの素材を使用したフ    ック等（４）を取り付ける。
（ハ）装置（２）の紐の先端（８）に折りたたみ傘（３）を入れる袋（５）に付いている    小さい輪の部分（７）に取り付ける。
（ニ）袋の小さい輪（７）に紐等（６）を設ける。
本発明は、以上のような構造である。
本発明を使用するときは、急に雨が降ってきたときに袋の小さい輪に付けた紐等を引っ張って折りたたみ傘を取り、傘をさしたあと、装置のボタンを押して、袋を元の位置に戻せばよい。
【符号の説明】
【０００８】    １  背負い型カバン
２  ボタンを押すだけで巻き取れる（メジャー等伸縮性のある物）装置
３  折りたたみ傘
４  フック等
５  折りたたみ傘（３）を入れる袋
６  紐等
７  折りたたみ傘（３）を入れる袋（４）に付いている小さい輪の部分
８  装置（２）の紐の先端
９  装置（２）のボタン
【図１】
2011050717.tif 000003
【図２】
2011050717.tif 000004
【図３】
2011050717.tif 000005
【図４】
2011050717.tif 000006
(57)【要約】【課題】睡眠中に寝返りをうつと、どうしても毛布が片側に寄ってしまったり、またベッドの場合などは落下してしまう事によって、足が冷えたり、夜中に毛布を整え直すといったわずらわしさが発生する。本発明は以上の問題を解決する毛布のずれ防止器具を提供する。【解決手段】２つの大きな洗濯挟み（以下バネ挟み）で、毛布の左右両側を挟み、そのバネ挟みをゴムひもで繋ぎ、毛布を挟む際には、中にしんをいれる。【選択図】図２
2011050719.tif 000002
【特許請求の範囲】
【請求項１】
毛布等の寝具の左右両端をバネ挟みで保持し、二つのバネ挟みをゴム紐で繋ぎ、敷き布団やマット等の下部にゴム紐を通し、毛布をバネ挟みで挟む際には、毛布の中に直方体状のしんを挿入して確実に保持するようにした毛布のずれ防止器具。
【発明の詳細な説明】
【技術分野】
【０００１】本発明は、毛布（足側）の片寄り、ずれを防止する器具に関する物である。
【背景技術】
【０００２】従来、毛布の片寄り、ずれを防止する為には、ベッドの両脇に柵を設けて防止していた。
【発明の概要】
【発明が解決しようとする課題】
【０００３】睡眠中に寝返りをうつとどうしても毛布が片側に寄ってしまったり、また、ベッドの場合などは毛布が落下してしまうことによって足が冷えたり、再度就寝中に毛布を整え直すわずらわしさが発生していた。
本発明は、以上の問題を解決する為に成された物である。
【課題を解決するための手段】
【０００４】２つの大きな洗濯挟み（以下、バネ挟み）の両端をゴムひもで繋ぎ、その挟み具で毛布を挟む際には中にしんをいれる。
以上の構成より成る毛布のずれ防止器具。
【発明の効果】
【０００５】寝返りによる毛布のずれ防止を本発明により可能にし、足の冷えや毛布の整え直しの問題を解決できるので便利である。
【図面の簡単な説明】
【０００６】
【図１】本発明の正面図
【図２】本発明の使用状態を示す側面図
【図３】本発明の使用状態を示す正面図
【図４】本発明の要部拡大図
【発明を実施するための形態】
【０００７】以下本発明の実施の形態を説明する。
（イ）２つのバネ挟み（１）をゴム紐（２）で接続する。バネ挟みとは、軸止めされた支点を中心に一端に操作部、他端に挟み込作用部を有する挟み具で、２本の円状のバネを作用部から操作部を通って他方の作用部にはる事により挟力を維持させる構造とする。
（ロ）毛布を挟む際には、中に直方体状のしん（３）を入れる。
本発明は以上の様な構造である。
本発明を使用するときは、毛布のすそ（足側）の左右両側に各１個のバネ挟み（１）を挟み、そのバネ挟み（１）をゴム紐（２）で繋げる。そのゴム紐（２）は、敷き布団の下部を通す。尚、毛布をバネ挟み（１）で挟む際には、毛布を１０センチ程度折り曲げ、その中に直方体状のしん（３）を入れ、それを包み込む様にバネ挟み（１）を挟み込む。
寝返り等により毛布が任意方向に引っ張られる際に、毛布を挟んでいるバネ挟みにかかる牽引力をゴムひもの弾力性が吸収することによって、さらに、毛布の中に入れた直方体状のしんが、バネ挟みがはずれる際の抵抗物となり（バネ挟みのＡの部分に抵抗圧力がかかる）挟み具は簡単にははずれなくなる。
【符号の説明】
【０００８】（１）バネ挟み  （２）ゴム紐  （３）しん
【図１】
2011050719.tif 000003
【図２】
2011050719.tif 000004
【図３】
2011050719.tif 000005
【図４】
2011050719.tif 000006
(57)【要約】      （修正有）【課題】従来品のピンチハンガーは基本的にフックが一つで物干し竿に取り付けた場合、かなりなスペースを要した。コンパクトサイズの物もあるが、下着を干す場合にはコンパクトサイズのものはタオル等で周りを囲うのには適していない。【解決手段】ピンチハンガーを単にコンパクトにするのではなく、下着を干す場合の煩わしさや紫外線による色落ちの心配も軽減できるピンチハンガーとしてフックを二つ設け、取り付け場所もスペース活用のため、洗濯で利用しているハンガーの下の部分に取り付けても安定するようにした。又、干した下着等を隠したい場合、上から衣類掛けて通常の洗濯物との区別をつかないようするためと、掛けた衣類と干した下着の接触を抑えるために服の形状にそって両サイドに膨らみを設け、中心部分との高低差をつけた。【選択図】図３
2011050721.tif 000002
【特許請求の範囲】
【請求項１】
折りたたみ可能なフックを二つ設けたピンチハンガー。
【請求項２】
前記ハンガーは、服の形状が肩の部分が中心より前に出ている形状に沿うため両サイド膨らみを設け、中心からの高低差を設けた請求項１記載のピンチハンガー。
【請求項３】
フックを折りたたんだ際に本体より下にフックが行かないようにストッパーを設けた請求項１記載のピンチハンガー。
【請求項４】
フックを上に引っ張ると固定される機構を設けた請求項１記載のピンチハンガー
【請求項５】
フックを取り付けたハンガーから外れにくくするために、互い違いにフックを設置した請求項１記載のピンチハンガー。
【請求項６】
フックを外れにくくするために、フックの中央に窪みをつけた請求項１記載のピンチハンガー。
【請求項７】
スライドして立ち上げる事が出来るフック取り付け部を設けた請求項１記載のピンチハンガー。
【請求項８】
垂直に立ち上げ、押し込んで固定できるフック取り付け部を設けた請求項１記載のピンチハンガー
【発明の詳細な説明】
【技術分野】
【０００１】この発明は、ピンチハンガー等の衣類を干すハンガーの形状に関する
【背景技術】
【０００２】  従来のピンチハンガーは図２が示すように、ピンチ接続のための本体とそれを物干し竿に掛けるための一つのフック、本体に接続されたピンチで構成されたものである。
【発明の概要】
【発明が解決しようとする課題】
【０００３】しかしながら、以上の技術によれば、物干し竿での使用ではスペースをとってしまい、又、下着を干す場合も見えないようにタオル等で囲ったりと大変苦労していた。そこで、この発明は、人目を気にすることなく干せ、洗濯スペースの有効活用が出来る物を提供する事を課題とする。
【課題を解決するための手段】
【０００４】以上のことを解決するために、第一発明は折りたたみ可能なフックを２つ設けたピンチハンガーを提供する。（図１−１参照）又、第二発明は前記ピンチハンガーを取り付けたハンガーの上から衣類等を掛けた場合、他の洗濯物との区別がつかないように両サイドに膨らみを持たせた形のピンチハンガーである（図１−２参照）。コンパクトに収納できるよう、第三発明はフックを折りたためる状態にした場合、フックが本体より下に行かないようにストッパーを設けた（図１−３参照）。第四発明はフックの取り付け部分に関して、上に引っ張ると固定される機構を備えたが、風に吹かれた場合に干した洗濯物が早く乾くよう稼働式でもよい。（図１−４参照）。第五発明はフックを互い違いに設置するので、ハンガーに取り付けた場合に外れにくい。外れにくさをさらに追及するために、開口式フックを取り付けてもよい（図１−５  図４参照）。第六発明はフックを外れにくくするために、フックの中央に窪みをつけ、その窪みにハンガー引っかかり、外れにくい構造も考えられる（図５−１）。第七発明はフックを収納しやすくするためにフックをスライドして立てる事のできるフック取り付け部を提供する（図６−１．２．３）。第八発明はフックをスライドではなく押し込んで固定できるものである（図７−１．２）
【発明の効果】
【０００５】  一つのフックのピンチハンガーを洗濯ハンガーの下に取り付けた場合、洗濯ハンガーの下の部分の長さだけ動いてしまい、バランスが悪くなり、ハンガーごと落ちてしまう可能性がある、しかし第一発明によれば、フックを２つ、間隔をあけて取り付けているのでピンチハンガーの動く幅が小さくなるのでバランスを崩しにくい。又、２つのフックで支えるので、力が分散され、バランスを崩しにくい。第二発明により、ピンチハンガーに干した衣類と上から掛けた衣類の接触を軽減し、見た目もこのピンチハンガーを利用した場合に他の洗濯物と区別がつかないようにした。第三発明により、コンパクトに折りたため、収納を簡単にした。第四発明により引っ張ると固定され、ハンガーの下に取り付けた場合にハンガーを一体となり安定する。第五発明によりフックを同方向に設置したものより外れにくくなる。第六発明は細いハンガーに取り付けた場合、さらに外れにくくするためのもので、窪みにハンガーが固定されるので、脱落防止に役立つ。第七発明によりフックを収納しやすく又、組つけも簡単になった。第八発明により、フックをスライドすることなく立ち上げる事ができ、組つけもさらに容易になる。
【図面の簡単な説明】
【０００６】
【図１】この発明の平面図と設置状態である。
【図２】従来品を示す斜視図である。
【図３】実施形態の斜視図である。
【図４】開口式フックの斜視図である。
【図５】窪みをつけたフックの平面図である。
【図６】サイドにスライドして立てるフック取り付け部の斜視図である。
【図７】押し込む形でフックを立てるフック取り付け部の斜視図である。
【発明を実施するための形態】
【０００７】  この発明の実施形態を、図３に示す。
このピンチハンガーはプラスチック製であり、両側には干した衣類と掛けた衣類の接触を防ぐために膨らみを設け、取り付けフックを２つ設けたピンチハンガーである。
「実施形態の効果」
【０００８】      この形態によれば、両サイドのふくらみがピンチハンガーに干した衣類と上から掛けた衣類の接触を最小限にし、取り付けられたフックにより移動幅が限定される。
「他の実施形態」
【０００９】      取り付けた２つのフックは開口式フックでもよい（図４参照）
【符号の説明】
【００１０】図１−１  フック（平面図）
図１−２  接触防止と使用時の違和感をなくすためのふくらみ図（平面図）
図１−３  フックのストッパー（平面図）
図１−４  フック接続部分（平面図）
図１−５  フック取り付け方向（平面図）
図５−１  窪み形状フック（平面図）
図６−１  フックを収納した状態（スライド式）
図６−２  フックをスライドさせた状態（スライド式）
図６−３  フックを立てた状態。（スライド式）
図７−１  フックを収納した状態（押し込み式）
図７−２  フックを押し込んで立てた状態。（押し込み式）
【図１】
2011050721.tif 000003
【図２】
2011050721.tif 000004
【図３】
2011050721.tif 000005
【図４】
2011050721.tif 000006
【図５】
2011050721.tif 000007
【図６】
2011050721.tif 000008
【図７】
2011050721.tif 000009
(57)【要約】【課題】埃等から陳列棚の陳列物を保護する機能を有する塩ビ製のカバーであって、陳列棚の陳列物を保護することを特徴とする、透過性軟質塩ビ製合成樹脂材の簡易カバーを提供する。【解決手段】本発明は以上のような構造である、透過性の軟質塩ビ製合成樹脂材製本体１と２を９０度に接合した合簡易・便利機能を持たせた、衛生的・経済的な埃等から陳列棚の陳列物を保護する機能を有するカバーを特徴とする。【選択図】図１
2011050707.tif 000002
【特許請求の範囲】
【請求項１】
埃等から陳列棚の陳列物を保護する機能を有する塩ビ製のカバーであって、陳列棚の陳列物を保護することを特徴とする、透過性軟質塩ビ製合成樹脂材の簡易カバー。
【発明の詳細な説明】
【技術分野】
【０００１】本発明は、埃等から陳列棚の陳列物を保護する機能を有する軟質塩ビ製合成樹脂材のカバーであって、陳列棚の陳列物を保護することを特徴とする、透明の軟質塩ビ製合成樹脂材の簡易カバーに関する。
【背景技術】
【先行技術文献】
【０００２】従来品における埃等から陳列物を保護する方法は、引き扉や開き扉が棚製作時より設けられたもの、又は後付け用扉があったが、どれも高値で、取付け時に専門工具や知識が必要であった。合成樹脂性カバーによる、何段もある棚全面を１枚で保護するために、カバーサイズが巨大で、切れ目を要した為に使用頻度が上がるたびに切れ目が拡大し、カバーが切れ切れになってしまったものがある。巻き上げ式によるものもあるが、棚サイズに完全に合致する必要がある為、誰でも手軽に利用するには不都合であった。（例えば特許文献１，特許文献２参照，特許文献３参照）
【特許文献１】特許出願２００６−４７４５０
【特許文献２】特許出願平１０−９０９１３
【特許文献３】特許出願平９−２０７１７４
【発明の概要】
【発明が解決しようとする課題】
【０００３】しかしながら従来品のカバーは、容易に設置できるものが無かった。従来品における、埃等から陳列物を保護する方法は、引き扉や開き扉が棚製作時より設けられた物、又は後付け用扉があったが、どれも高値で、取付け時に専門工具や知識が必要であった。何段もある棚全面を透明の軟質塩ビ製合成樹脂材１枚で保護するためにはカバー寸法も比例して大きく、出し入れの為に縦または横へ切れ目を要した為に使用頻度が上がるたびに切れ目が拡大し、カバー全体が切断され使用不能になった。また、巻き上げ式による物があるが、棚サイズと完全に合致する必要があるため、誰にでも手軽に取り付ける事ができなかった。また取外し時にも専門工具や知識が必要であった。ネジ類を使用した為に傷与等が発生した。安易なカバー移動や移設が困難であったため使い難く実用性にも乏しかった等の点で不利がある。
【課題を解決するための手段】
【０００４】本発明は、軟質塩ビ製合成樹脂材であるため、軽量・衛生的で、便利性・量産性の機能を有している。棚へ物品を置く要領と同様の動作で手軽に使用出来る、容易な脱着機能を有した軟質塩ビ製合成樹脂材の、埃等から陳列棚の陳列物を保護する為の簡易カバーを提供することで上記課題を解決する。
【発明の効果】
【０００５】本発明は、軟質塩ビ製合成樹脂材であるため、軽量・衛生的で、便利性・量産性の機能を有しており、棚へ物品を置く要領と同様の動作で手軽に使用出来る、容易な脱着機能を有する、便利性と衛生面を考慮した、埃等から陳列棚の陳列物を保護する為の簡易カバーとして極めて有効である。
【発明を実施するための形態】
【０００６】本発明のカバーは、図１、図２、図３、図４に示すように、軟質塩ビ製合成樹脂材カバー本体の棚へ載せる側１と、軟質塩ビ製合成樹脂材カバー本体の正面側２を９０度の角度で接合し、カバー本体の棚へ載せる側１を一般的な棚板４へのせる。軟質塩ビ製合成樹脂材１であるため、一般的な棚板４への簡易な密着により滑り難い作用とズレ防止効果を発生させる。
本発明は以上のような構造である。
【実施例】
【０００７】図１、図２、に示す軟質塩ビ製合成樹脂材の埃等から陳列棚の陳列物を保護する為の簡易カバーは、本体１と２のサイズは幅も高さも１５〜５０ｃｍ．前後、厚み１〜５ｍｍ前後で９０度接合したものを好適な組み合わせとして標準化する。このことにより設計、施工製作が容易になる。また本体１および本体２には軟質塩化ビニール材や樹脂性軽量造形材製樹脂材を用いるのが最適である。素材として耐蝕性のあるステンレス製部材や硬質部材は安価製作が難しい上に陳列物が見えなくなると思われるためである。透明硝子及び硬質合成樹脂材等は割れる危険性と、陳列物を容易に出し入れ出来ない。また、本体１上へ陳列物を置けるようにすることと、軟質塩ビ製合成樹脂材の滑り難い作用により、カバー本体のズレを抑止する。【０００８】以上、本発明の実施の形態及び実施例を説明したが、本発明の範囲はこれに限定されるものではない。例えば、本体１と本体２との接合位置、全体サイズ、あるいは本体１と本体２を脱着可能な機能を施すことは、状況に応じて適宜選択されるものである。【０００９】また陳列棚における利用という一面に限らず、ショーケースや冷蔵庫内にて利用しても良い。【００１０】さらに、発明を実施するための最良の形態と実施例では軟質塩ビ製合成樹脂材について説明しているが、軟質塩ビ製合成樹脂材に限られたものではなく、その他例えば軟・硬質金属材、合成樹脂材、木材、弾性部材、セラミック材・硬質塩化ビニール材、耐蝕性ステンレス材等、透過性があり破損し難い適当な任意の材料のものが利用でき、形状、大きさも任意に選定する事が出来る。用途も陳列品用としての利用目的に限られず、主として簡易で便利なカバー具として広く用いる事が可能である。
【産業上の利用可能性】
【００１１】本発明は、事務・台所用品を製造する産業で利用される。
【図面の簡単な説明】
【００１２】
【図１】本発明を実施するための最良の第一の形態の外観斜視図である。
【図２】本発明を実施するための最良の第一の形態の断面図である。
【符号の説明】
【受託番号】（１）    カバー本体の棚へ載せる側
（２）    カバー本体の正面側
（３）    一般的な棚の後方壁又は一般的な棚家具の一般的な背面
（４）    一般的な棚板
【図１】
2011050707.tif 000003
【図２】
2011050707.tif 000004
(57)【要約】【課題】洗濯した衣類を乾きやすくし、シワや型崩れを防ぎ、コンパクトに収納できる物干しハンガーを提供する。【解決手段】シャツや上着などの衣類の前後の身頃の間と脇部に間隔を設けることで、衣類の乾燥時間を短縮するものである。また、前後身頃の間の間隔を湾曲部材で設け、脇部の間隔を、肩部に板状の湾曲した伸縮部材を用いて設けることで、衣類の型崩れを防ぐ。さらに、身頃間の湾曲部材はハンガー本体中央の凸部に引掛け、肩部の板状の湾曲した伸縮部材は取り外してコンパクトに収納できる。【選択図】図２
2011050710.tif 000002
【特許請求の範囲】
【請求項１】
ハンガーの両肩部先端内側に支点を設け、その支点にハンガーに対し前後９０度まで倒すことが可能な湾曲部材を取り付けたことを特徴とする物干しハンガー。
【請求項２】
ハンガーの両肩部に連結部を設け、衣類の脇部に間隔を設け、衣類を乾きやすくするため、その連結部に湾曲した板状の伸縮部材を着脱可能としたことを特徴とする物干しハンガー。
【請求項３】
ハンガー首部に凸部と、凸部の左右に開孔部を設け、凸部に湾曲部材中央を引掛けて収納できるように構成したことを特徴とする請求項１の物干しハンガー。
【発明の詳細な説明】
【技術分野】
【０００１】  本発明は、洗濯した衣類を乾きやすくし、シワや型崩れを防ぎ、コンパクトに収納できる物干しハンガーに関するものである。
【背景技術】
【０００２】  従来のハンガーは、いわば棒線状のものを屈曲状にしたものが一般的で、洗濯した衣類をハンガーで干す際に、前後身頃の間や脇部分にほとんど隙間がなかった。
また、身頃の間に間隔を設けるハンガーの発明が知られている（特許文献１）。
【特許文献１】特開２００２−１１２９４号公報
【発明の開示】
【発明が解決しようとする課題】
【０００３】  そのために次のような問題点があった。
（イ）厚手の衣類では、乾燥するのに時間がかかり、シワや型崩れがあった。
（ロ）収納時に嵩張り、様々な洗剤や雑貨などで雑多になりがちな洗濯機周りには不向    きであった。
本発明は、以上の問題点を解決するためになされたものである。
【課題を解決するための手段】
【０００４】  ハンガー本体の前後の肩部先端両内側に支点を設け、湾曲部材を取り付ける。湾曲部材の中央は、ハンガー首部中央の凸部に引掛けて収納する。衣類を干す際には、湾曲部材中央を凸部より外し、身頃の内側に前後９０度まで倒すことができる。また、肩部に湾曲した板状の伸縮部材を着脱可能とする。以上を特徴とする物干しハンガーである。
【発明の効果】
【０００５】  前後身頃の間と脇部に空気の通り道を作ることで、衣類を早く乾燥することができる。
また、湾曲部材はハンガー首部中央の凸部に引掛けて収納でき、肩の伸縮部材も取り外しできるので、コンパクトに収納できる。
【発明を実施するための最良の形態】
【０００６】    以下、本発明の実施の形態について説明する。
（イ）ハンガー本体（１）の両肩部先端内側に、嵌挿孔（２）を設ける。
（ロ）軟性プラスチックやシリコン素材などでできた湾曲部材（３）の両端に設けられた      突起部が嵌挿孔（２）に嵌挿されることにより、湾曲部材（３）が嵌挿孔（２）を      支点にして回動可能な構造を有する。
（ハ）湾曲部材（３）はハンガー本体（１）の正面と背面に同様に設け、可動式で、ハン      ガーに対し前後９０度までの任意の角度で略固定できる。
（ニ）ハンガー本体（１）の首部中央に凸部（４）を設け、凸部（４）の左右には開孔部      （５）を設ける。
（ホ）ハンガー本体（１）の両肩部に、連結部（６）を設ける。
（ヘ）連結部（６）には湾曲した板状の伸縮部材（７）を連結できる。
（ト）湾曲した板状の伸縮部材（７）は、縮めてハンガーとは別に収納できる。
本発明は以上のような構造で、これを使用するときは、ハンガー本体（１）から湾曲部材（３）を身頃の前後９０度までの任意の角度に起こし衣類（８）を被せる。また、湾曲した板状の伸縮部材（７）は任意の長さに伸長させ、左右肩部の連結部（６）に装着し、衣類（８）の袖部を通す。これを収納するときは、ハンガー本体（１）の首部中央の凸部（４）に湾曲部材（３）の中央を引掛ける。また湾曲した板状の伸縮部材（７）は連結部（６）から取り外し、縮ませて収納できる。
【図面の簡単な説明】
【０００７】
【図１】本発明の分解斜視図
【図２】本発明の使用状態を示す透視図
【符号の説明】
【０００８】      １  ハンガー本体
２  嵌挿孔
３  湾曲部材
４  凸部
５  開孔部
６  連結部
７  伸縮部材
８  衣類
【図１】
2011050710.tif 000003
【図２】
2011050710.tif 000004
(57)【要約】【課題】  盗難防止機能を備えた放射状の物干しテコを有する物干し具を提供する。【解決手段】  洗濯物衣類等を内側ハンガーアーム６まで袖通しするか、あるいは内側ハンガーアーム６の上面に掛け、外側ハンガーアーム７を内側ハンガーアーム６へ密着するように内側へ倒伏して洗濯物衣類等を挟持し、ハンガーアーム固定盤１０のハンガーアーム保持部１０ａにて、外側ハンガーアーム７の先端部７ａを動かせないように固定し、更にハンガーアーム固定盤１０に備われた錠１１で施錠する事により、洗濯物衣類等を挟持した状態の外側ハンガーアーム７の開閉をできない構造とした。【選択図】図２
2011050706.tif 000002
【特許請求の範囲】
【請求項１】
放射状の物干しテコを有する物干し具であって、折り畳み可能な内側ハンガーアームと外側ハンガーアームを備え、内側ハンガーアームに洗濯物衣類等を掛けるかあるいは通し、内側ハンガーアームに対し外側ハンガーアームを内側に折り畳み挟み込むことで洗濯物衣類等を把持する手段を備え、ハンガーアーム固定盤のハンガーアーム保持部にて折り畳んだ外側ハンガーアーム先端部を固定し、ハンガーアーム固定盤を施錠できる事を特徴とする物干し具
【請求項２】
フック機構にフック用錠を備え、洗濯紐や物干し竿に施錠固定できることを特徴とする請求項１に記載の放射状の物干しテコを有する物干し具
【発明の詳細な説明】
【技術分野】
【０００１】  本発明品は衣類などを乾燥させる際に用いる放射状の物干しテコを有する物干し具に関し、特に洗濯物衣類の盗難防止に関する。
【背景技術】
【０００２】  従来の放射状の物干しテコを有する物干し具として図５に挙げられるような、物干し具がある。上部にフック機構１を有し、フック機構１で洗濯紐や物干し竿などに吊り下げ、支柱３の基台４から放射状に備えられたハンガーアーム１３を倒伏展開し、それぞれのハンガーアーム１３に洗濯物衣類等を掛け、ハンガーアーム１３の各先端に備われた挟持体２にて洗濯物衣類等を留め、室内や室外に干す構造となっている。【０００３】  しかしながら、従来式の放射状の物干しテコを有する物干し具では、ハンガーアーム１３の各先端に備えられた挟持体２のみで洗濯物衣類等を留めるだけであり、洗濯物衣類、特に下着などの盗難にはまったくと言えるほど効果が無い。
【発明の開示】
【発明が解決しようとする課題】
【０００４】  盗難防止機能を備えた放射状の物干しテコを有する物干し具を提供する。
【課題を解決する為の手段】
【０００５】  洗濯物衣類等を内側ハンガーアーム６まで袖通しするか、あるいは内側ハンガーアーム６の上面に掛け、外側ハンガーアーム７を内側ハンガーアーム６へ密着するように内側へ倒伏して洗濯物衣類等を挟持し、ハンガーアーム固定盤１０のハンガーアーム保持部１０ａにて、外側ハンガーアーム７の先端部７ａを動かせないように固定し、更にハンガーアーム固定盤１０に備われた錠１１で施錠する事により、洗濯物衣類等を挟持した状態の外側ハンガーアーム７の開閉をできない構造とした。
【発明の効果】
【０００６】  洗濯物衣類等は、内側ハンガーアーム６と外側ハンガーアーム７の両方に備われた衣類滑り止め素材９にて挟持され、更に錠１１で施錠されたハンガーアーム固定盤１０のハンガーアーム保持部１０ａによって外側ハンガーアーム先端部７ａは押さえつけられ開閉できないように固定される為、抜き取るのが困難となる。
【発明を実地する為の最良の形態】
【０００７】  フック機構１を洗濯紐、物干し竿などに掛けて、物干し具本体１５を吊り下げ、内側ハンガーアーム６、外側ハンガーアーム７をそれぞれ水平に倒伏展開する。次に洗濯物衣類等を内側ハンガーアーム６まで袖通しするか、あるいは内側ハンガーアーム６の上面に掛け外側ハンガーアーム７を内側ハンガーアーム６上面に密着するように内側へ倒伏し、更に支柱３の上部に備われたハンガーアーム固定盤１０を基台４まで下ろし、ハンガーアーム保持部１０ａにて、外側ハンガーアーム７の先端部７ａを固定し、ハンガーアーム固定盤１０の上部に設けられた錠１１にて施錠する。
【０００８】  ハンガーアーム固定盤１０は基台４と接した状態でも、支柱３を中心軸として［図３］から［図４］のように回転運動ができ、支柱３より上下に移動させなくても、下ろした状態のまま外側ハンガーアーム７を固定したり解除したりする事ができる。
【０００９】  ハンガーアーム固定盤１０の上部に設けられた錠１１はハンガーアーム固定盤１０の内部、又は基台４の内部に設けてもよい。
【００１０】  フック機構１に、フック機構用錠１７を備えることにより、吊り下げた物干し具本体１５を、洗濯紐や物干し竿等にロック金具１８にて施錠固定する事ができる。
【００１１】フック機構用錠１７、及び錠１１は符号錠であってもよい。
【図面の簡単な説明】
【００１２】
【図１】盗難防止機能付き物干し具を示した平面一部断面図である。
【図２】盗難防止機能付き物干し具をロックした状態を示した平面一部断面図である。
【図３】盗難防止機能付き物干し具を示した上面拡大図である。
【図４】盗難防止機能付き物干し具をロックした状態を示した上面拡大図である。
【図５】従来式の物干し具を示した平面一部断面図である。
【符号の説明】
【００１３】１  フック機構
２  挟持体
３  支柱
４  基台
５  グリップ部
６  内側ハンガーアーム
７  外側ハンガーアーム
７ａ  外側ハンガーアーム先端部
８  連結部
９  衣類滑り止め素材
１０  ハンガーアーム固定盤
１０ａ  ハンガーアーム保持部
１１  錠
１２  カギ
１３  ハンガーアーム
１４  係止体
１５  物干し具本体
１６  錠受け
１７  フック機構用錠
１８  ロック金具
１９  小フック
２０  キャッチレバー
【図１】
2011050706.tif 000003
【図２】
2011050706.tif 000004
【図３】
2011050706.tif 000005
【図４】
2011050706.tif 000006
【図５】
2011050706.tif 000007
(57)【要約】【課題】  水流を利用して糸くずを除去する従来型の電気洗濯機の糸くず取り具は、節水型の電気洗濯機では不向きである。【解決手段】  節水型で洗濯槽が複雑な回転をする全自動電気洗濯機にあって、水流を通すカプセル状の容器内に面ファスナー等の起毛材を形成した浮体ボールを衣類と共に回転させ洗濯槽内の糸くず等を付着除去し、脱水中も付着した糸くずなどが容易に落ちないので途中で取り出す手間が要らない。【選択図】図１
2011050709.tif 000002
【特許請求の範囲】
【請求項１】
洗濯中に水中にある糸くず等を回転移動しながら付着していく電気洗濯機の糸くず付着ボールであって、孔開きのカプセル状の球体容器の内部に自動回転する浮体ボールを形成し、前記浮体ボールの表面を起毛で構成していることを特徴とする電気洗濯機の糸くず付着ボール。
【請求項２】
前記カプセル状の球体容器とは、内部の糸くず付着ボールを収納、取り出しが容易な構成とし、一体型、或は蓋と受け容器の役割をして構成される請求項１に記載の電気洗濯機の糸くず付着ボール。
【請求項３】
前記浮体ボールとは、発泡スチロール球、ゴム又は合成樹脂系など水中で浮遊する素材であることを特徴とする請求項１に記載の電気洗濯機の糸くず付着ボール。
【請求項４】
前記起毛とは、織製面ファスナーの雄型形状或は雌雄複合体の起毛等であって糸くず等の付着を容易にするための毛足を確保した構成であることを特徴とする請求項１に記載の電気洗濯機の糸くず付着ボール。
【発明の詳細な説明】
【技術分野】
【０００１】  本発明は、水量が少なくて渦を巻かない全自動洗濯機の洗濯中に使用し、糸くず等を回転しながら付着することを目的にした電気洗濯機の糸くず付着ボールに関する。
【背景技術】
【０００２】  従来の糸くず取り具は、電機洗濯機の洗濯中の糸くず等を水面に浮かせて水流の渦を利用して除去していた。
【発明の概要】
【発明が解決しようとする課題】
【０００３】  節水型の全自動電気洗濯機は水量が少なく洗濯槽が複雑な回転をするものが多く、従来のように水面に浮かせて水流の渦を利用して糸くずを集めることは出来ない。従って、水面に浮かせるのではなく洗濯槽内で衣類等と一緒に回転移動しながら水中の糸くずや綿ぼこりなどを付着させるようにしたことにより前述の欠点を解決しようとするものである。
【課題を解決するための手段】
【０００４】  本発明は、洗濯中に水中にただよう糸くず等を回転移動しながら付着していく電気洗濯機の糸くず付着ボールであって、孔開きのカプセル状の球体容器（１）の内部にカプセル球体容器と一定の空間を有して自動回転する浮体ボール（３）を形成し、前記浮体ボール（３）の表面を織製面ファスナー等の起毛（４）で構成し、洗濯槽内を衣類と一緒に回転移動しながら糸くず等を付着するようにしたことにより問題点を解決している。【０００５】  孔開きカプセル状の球体容器（１）は内部の付着ボール本体（２）が取り出し易い係合手段を構成しているものとし、孔（１ａ）の形状は問わないものとする。【０００６】  上述の様に、本発明の電気洗濯機の糸くず付着ボールは、近年の節水機能重視の全自動洗濯機の洗濯中に使用し、衣類などと一緒に回転移動しながら水中にある糸くず等を面ファスナー等の起毛の特性を生かして付着除去することが出来る。【０００７】  さらに、一度付着した糸くず等は面ファスナー等の特性により容易に落ちないので全自動洗濯機の脱水中も取り除く手間がいらない。
尚、ボールに付着した糸くず等はペットブラシ（図示せず）等により簡単に除去することができる。
【図面の簡単な説明】
【０００８】
【図１】  本発明の電気洗濯機の糸くず付着ボールをセットする途中の全体斜視図
【図２】  同付着ボール本体の拡大部分断面図
【図３】  同発明のカプセル状球体容器の全体斜視図
【図４】  同発明を複数個使用した場合の使用例
【発明を実施するための形態】
【００９】  以下、本発明の実施の形態について説明する。
【００１０】  図１は蓋と受け部を構成したカプセル状の球体容器（１）の中に付着ボール本体（２）を収納する途中の全体図である。ヒンジ（５）によって連結し周縁部で嵌合した場合の例である。
【００１１】  前記カプセル状の球体容器（１）は、図１のような網目或は水流を容易に通す孔開きで形成し、ヒンジ（５）で連結した係合手段、或はネジ式による係合などで構成しているものとし、係合手段は問わないものとする。
【００１２】  図２は付着ボール本体（２）の部分拡大図である。浮体ボール（３）の表面が縫製面ファスナー（４）で覆われている構成である。縫製面ファスナー（４）とは雄型形状或は雄雌複合起毛であり、糸くず等を付着する為に適した縫製とし、浮体ボール（３）はゴム素材、合成樹脂等からなる浮体材質とする。
【００１３】  図３はカプセル状の球体容器（１）に付着ボール本体（２）を収納した時の全体図である。
【００１４】  図４は本発明を複数個使用した場合の全自動洗濯機の蓋を開けた状態の図である。
【符号の説明】
【００１５】  １  カプセル状の球体容器
１ａ  孔
２  付着ボール本体
３  浮体ボール
４  縫製面ファスナー
５  ヒンジ
【図１】
2011050709.tif 000003
【図２】
2011050709.tif 000004
【図３】
2011050709.tif 000005
【図４】
2011050709.tif 000006